【手続補正書】
【提出日】平成28年8月9日(2016.8.9)
【手続補正１】
【補正対象書類名】明細書
【補正対象項目名】０００４
【補正方法】変更
【補正の内容】
【０００４】
特許文献１に示される相互係合コネクタ装置は、ハウジング（インシュレータ(11)) とハウジングに回動可能に取り付けられた可動操作部材（プルバー(10)）とを備えた第１のコネクタ（プラグ側コネクタ(100))、及び、ハウジング（インシュレータ(21)）を備えて基板に配された第２のコネクタ（基板側コネクタ(102))を含んで構成されている。第１のコネクタに備えられた可動操作部材は、金属棒状部材をもって形成されていて、両端の夫々に腕部(10b) と腕部(10b) の先端を成す回転軸(10a) とを有しており、回転軸(10a) はハウジングにおける外壁状部を外側から内側へと貫通していて、第２のコネクタに対する係止部（ロック機構の一部）を成している。また、第１のコネクタのハウジングにおける外壁状部の外面には、リブ(7) が外方に突出するものとして設けられており、さらに、第２のコネクタのハウジングにおける内壁状部の外面には、突起部(1) とリブ(7) とが外方に突出するものとして設けられている。
【手続補正２】
【補正対象書類名】明細書
【補正対象項目名】０００６
【補正方法】変更
【補正の内容】
【０００６】
その後、第１のコネクタに備えられた可動操作部材が回動せしめられると、可動操作部材の腕部が第１のコネクタのハウジングにおける外壁状部の外面に設けられたリブに乗り上げ、それにより、可動操作部材が弾性変形を生じて、可動操作部材の回転軸が、第２のコネクタのハウジングにおける内壁状部の外方に移動せしめられ、第２のコネクタのハウジングにおける内壁状部の外面に設けられた突起部に対する係合係止状態を解除する。その結果、第１のコネクタのハウジングが第２のコネクタのハウジングに対する機械的な係止から解放される。可動操作部材の回転軸が第２のコネクタのハウジングに設けられた突起部に対する係合係止状態を解除した後には、可動操作部材の更なる回動に伴って、弾性変形を生じた可動操作部材が弾性変形を生じていない状態に戻る。
【手続補正３】
【補正対象書類名】明細書
【補正対象項目名】０００８
【補正方法】変更
【補正の内容】
【０００８】
そして、第１のコネクタと第２のコネクタとが相互係合状態におかれるときには、第２のコネクタのハウジングが、その外壁状部が第１のコネクタにおける被係止孔が形成されたロック部の内側に配されるようにして、第１のコネクタのハウジングに嵌合する。その際、第２のコネクタに備えられた可動操作部材における被保持部の端部である係止部が、第１のコネクタにおけるロック部に形成された被係止孔に対する係合係止状態をとり、第２のコネクタのハウジングを第１のコネクタのハウジングに対して機械的に係止し、それによって、第１及び第２のコネクタの相互係合状態が維持される。
【手続補正４】
【補正対象書類名】明細書
【補正対象項目名】００３０
【補正方法】変更
【補正の内容】
【００３０】
【図１】本願発明に係る相互係合コネクタ装置の一例を構成するリセプタクルコネクタ，プラグコネクタ及び可動操作部材を、個々に分離された状態をもって示す斜視図である。
【図２】図１に示されるリセプタクルコネクタが備える第１の金属部材を示す斜視図である。
【図３】図１に示されるプラグコネクタが備える一対の第２の金属部材のうちの一方を示す斜視図である。
【図４】図１に示されるプラグコネクタが備える一対の第２の金属部材のうちの他方を示す斜視図である。
【図５】図１に示されるリセプタクルコネクタとプラグコネクタとが相互嵌合し、図１に示される可動操作部材が第１の静止位置をとった状態を示す斜視図である。
【図６】図１に示されるリセプタクルコネクタとプラグコネクタとが相互嵌合し、図１に示される可動操作部材が第１の静止位置をとった状態を示す平面図である。
【図７】図１に示されるリセプタクルコネクタとプラグコネクタとが相互嵌合し、図１に示される可動操作部材が第１の静止位置をとった状態を示す側面図である。
【図８】図５における二点鎖線枠Ａ内を拡大して示す部分斜視図である。
【図９】図６における二点鎖線枠Ｂ内を拡大して示す部分平面図である。
【図１０】図６における X−X 線断面を示す断面図である。
【図１１】図１に示される可動操作部材が第１の静止位置をとるもとでの当該可動操作部材と図３及び図４に示される第２の金属部材との相互係合状態を示す斜視図である。
【図１２】図１０における二点鎖線枠Ｃ内を拡大して示す部分断面図である。
【図１３】図１に示されるリセプタクルコネクタとプラグコネクタとが相互嵌合し、図１に示される可動操作部材が第２の静止位置をとった状態を示す斜視図である。
【図１４】図１に示されるリセプタクルコネクタとプラグコネクタとが相互嵌合し、図１に示される可動操作部材が第２の静止位置をとった状態を示す平面図である。
【図１５】図１に示されるリセプタクルコネクタとプラグコネクタとが相互嵌合し、図１に示される可動操作部材が第２の静止位置をとった状態を示す側面図である。
【図１６】図１３における二点鎖線枠Ｄ内を拡大して示す部分斜視図である。
【図１７】図１４における二点鎖線枠Ｅ内を拡大して示す部分平面図である。
【図１８】図１４における XVIII−XVIII 線断面を示す断面図である。
【図１９】図１に示される可動操作部材が第１の静止位置から第２の静止位置に移行する過程にあるもとでの当該可動操作部材と図３及び図４に示される第２の金属部材との相互係合状態を示す斜視図である。
【図２０】図１に示される可動操作部材が第２の静止位置をとるもとでの当該可動操作部材と図３及び図４に示される第２の金属部材との相互係合状態を示す斜視図である。
【図２１】図１８における二点鎖線枠Ｆ内を拡大して示す部分断面図である。
【図２２】図１に示されるリセプタクルコネクタとプラグコネクタとが、各々のハウジングが配線基板に固定されたもとで相互嵌合し、図１に示される可動操作部材が第１の静止位置をとった状態を示す側面図である。
【図２３】図１に示されるリセプタクルコネクタとプラグコネクタとが、各々のハウジングが配線基板に固定されたもとで相互嵌合し、図１に示される可動操作部材が第１の静止位置をとった状態を示す斜視図である。
【図２４】図１に示されるリセプタクルコネクタとプラグコネクタとが、各々のハウジングが配線基板に固定されたもとで相互嵌合し、図１に示される可動操作部材が第１の静止位置をとった状態を示す平面図である。
【図２５】図２２に示されるリセプタクルコネクタ及びプラグコネクタにおける、可動操作部材における連結部及び可動係合係止部とプラグコネクタにおける第２の金属部材及びリセプタクルコネクタにおける固定係合係止部との係合状態を拡大して示す部分断面図である。
【図２６】図２４における二点鎖線枠Ｇ内を拡大して示す部分平面図である。
【図２７】図２２に示されるリセプタクルコネクタ及びプラグコネクタにおける、可動操作部材における連結部及び可動係合係止部とプラグコネクタにおける第２の金属部材及びリセプタクルコネクタにおける固定係合係止部との係合状態を拡大して示す部分断面図である。
【図２８】図２２に示されるリセプタクルコネクタ及びプラグコネクタにおける、可動操作部材における連結部及び可動係合係止部とプラグコネクタにおける０００金属部材及びリセプタクルコネクタにおける固定係合係止部との係合状態を拡大して示す部分平面図である。
【手続補正５】
【補正対象書類名】明細書
【補正対象項目名】００５８
【補正方法】変更
【補正の内容】
【００５８】
図１９は、斯かる際において第１の静止位置から第２の静止位置に移行する過程にある可動操作部材１３とプラグコネクタ１２の金属部材２７及び２８との相互係合状態を、可動操作部材１３及び金属部材２７及び２８のみを取り出して示している。さらに、図２０は、第２の静止位置をとる可動操作部材１３とプラグコネクタ１２の金属部材２７及び２８との相互係合状態を、可動操作部材１３及び金属部材２７及び２８のみを取り出して示している。
【手続補正６】
【補正対象書類名】明細書
【補正対象項目名】００６２
【補正方法】変更
【補正の内容】
【００６２】
このようにして、可動操作部材１３における可動係合係止部４３がリセプタクルコネクタ１１に備えられた第１の金属部材１８に設けられた固定係合係止部２１に対する係合係止解除状態をとるとともに、可動操作部材１３における可動係合係止部４４がリセプタクルコネクタ１１に備えられた第１の金属部材１８に設けられた固定係合係止部２０に対する係合係止解除状態をとるもとにあっては、第２の静止位置をとる可動操作部材１３が、プラグコネクタ１２のハウジング２３をリセプタクルコネクタ１１のハウジング１５に対する機械的な係止から解放することになる。そして、可動操作部材１３によってプラグコネクタ１２のハウジング２３がリセプタクルコネクタ１１のハウジング１５に対する機械的な係止から解放されることにより、リセプタクルコネクタ１１とプラグコネクタ１２との相互分離が可能とされる。
【手続補正７】
【補正対象書類名】明細書
【補正対象項目名】００６４
【補正方法】変更
【補正の内容】
【００６４】
図２３（斜視図）及び図２４（平面図）に示されるように、プラグコネクタ１２のハウジング２３が下面に固定された配線基板５０には、一対の透孔５１及び５２が設けられている。透孔５１は、それを可動操作部材１３における連結部４１における第３の連結部分４１ｃ、即ち、可動操作部材１３における一端部である可動係合係止部４３の近傍部分が貫通する位置に形成されており、また、透孔５２は、それを可動操作部材１３における連結部４２における第３の連結部分４２ｃ、即ち、可動操作部材１３における他端部である可動係合係止部４４の近傍部分が貫通する位置に形成されている。そして、配線基板５０における下面に対向する上面の外部から、透孔５１を通じて、可動操作部材１３における連結部４１及び可動係合係止部４３についてのプラグコネクタ１２における金属部材２７及びリセプタクルコネクタ１１に備えられた第１の金属部材１８における固定係合係止部２１との係合状態を覗き観ることができ、同様に、配線基板５０の上面の外部から、透孔５２を通じて、可動操作部材１３における連結部４２及び可動係合係止部４４についてのプラグコネクタ１２における金属部材２８及びリセプタクルコネクタ１１に備えられた第１の金属部材１８における固定係合係止部２０との係合状態を覗き観ることができる。
【手続補正８】
【補正対象書類名】明細書
【補正対象項目名】００６８
【補正方法】変更
【補正の内容】
【００６８】
それに対して、リセプタクルコネクタ１１とプラグコネクタ１２とが相互係合状態をとり、可動操作部材１３が第１の静止位置をとったもとで、例えば、図２７に示されるように、可動操作部材１３における可動係合係止部４３が、プラグコネクタ１２に備えられた金属部材２７のコ字状部３０における中央部分３０ａに形成された透孔３１を通じて金属部材２７のコ字状部３０における中央部分３０ａの外部へと突出するが、リセプタクルコネクタ１１に備えられた第１の金属部材１８における固定係合係止部２１に形成された切欠き部２１ａには係合せず、固定係合係止部２１に対する係合係止状態を適正にとるものとされないときには、図２８に示されるように、配線基板５０の上面の外部から配線基板５０に設けられた透孔５１を通じて覗き観ることができる、可動操作部材１３における連結部４１及び可動係合係止部４３についてのプラグコネクタ１２における金属部材２７及びリセプタクルコネクタ１１に備えられた第１の金属部材１８における固定係合係止部２１との係合状態にあっては、可動操作部材１３における可動係合係止部４３が、その一部分がプラグコネクタ１２に備えられた金属部材２７によって隠されるが、他の部分はリセプタクルコネクタ１１に備えられた第１の金属部材１８における固定係合係止部２１によって隠されることなく、固定係合係止部２１の上方に見えるものとされる。
【手続補正９】
【補正対象書類名】明細書
【補正対象項目名】００７５
【補正方法】変更
【補正の内容】
【００７５】
１1 ・・・リセプタクルコネクタ（第１のコネクタ），  １２・・・プラグコネクタ（第２のコネクタ），  １３・・・可動操作部材，  １５・・・ハウジング（第１のハウジング），  １６，２９，５０・・・配線基板，  １６ａ・・・配線端子部，  １７・・・リセプタクル側コンタクト（第１のコンタクト），  １７ａ，２４ａ・・・基板接続部，  １７ｂ・・・接触接続部，  １８・・・第１の金属部材，  １９，３２，３７・・・基板連結部，  ２０，２１・・・固定係合係止部，  ２０ａ，２１ａ・・・切欠き部，  ２３・・・ハウジング（第２のハウジング），  ２４・・・プラグ側コンタクト（第２のコンタクト），  ２５・・・平板状部，  ２７，２８・・・金属部材（第２の金属部材），  ３０，３５・・・コ字状部，  ３１，３６，５１，５２・・・透孔，  ３３，３８・・・カム部，  ３４，３９・・・カム端面，  ３４ａ，３９ａ・・・第１の端面部，  ３４ｂ，３９ｂ・・・第２の端面部，  ４０・・・中間部，  ４１，４２・・・連結部，  ４１ａ，４２ａ・・・第１の連結部分，  ４１ｂ，４２ｂ・・・第２の連結部分，  ４１ｃ，４２ｃ・・・第３の連結部分，  ４３，４４・・・可動係合係止部
【手続補正１０】
【補正対象書類名】図面
【補正対象項目名】図２４
【補正方法】変更
【補正の内容】
【図２４】
2015050099.tif 000001